(57)【特許請求の範囲】
【請求項１】
時計のケースに装着して用いられるカバーガラスであって、
板状をなし、透明性を有するカバーガラス本体と、
前記カバーガラス本体の裏側の面に接合され、前記カバーガラス本体の縁部に沿ったリング状をなすスペーサーとを有し、
前記カバーガラス本体と前記スペーサーとの位置決めを行なう位置決め手段を備え、
前記位置決め手段は、前記カバーガラス本体の裏側の面および前記スペーサーの表側の面のうちの一方の面に設けられた凹部と、他方の面に設けられ、前記凹部が挿入される凸部とで構成されており、
前記カバーガラス本体に設けられた前記凹部または前記凸部は、レンズの機能を有することを特徴とするカバーガラス。
【請求項２】
前記スペーサーは、透明性を有する請求項１に記載のカバーガラス。
【請求項３】
前記スペーサーは、着色が施されている請求項２に記載のカバーガラス。
【請求項４】
前記カバーガラス本体は、その表側の面の少なくとも中央部が凸状に湾曲している請求項１ないし３のいずれかに記載のカバーガラス。
【請求項５】
前記カバーガラス本体は、その裏側の面が平面状をなす請求項１ないし４のいずれかに記載のカバーガラス。
【請求項６】
前記カバーガラス本体は、その裏側の面の少なくとも中央部が凹状に湾曲している請求項１ないし４のいずれかに記載のカバーガラス。
【請求項７】
前記カバーガラス本体と前記スペーサーとが接合される接合部には、文字、数字、記号および図形のうちの少なくとも１つが付された装飾部が設けられている請求項１ないし６のいずれかに記載のカバーガラス。
【請求項８】
前記カバーガラス本体の縁部側に配置され、前記スペーサーに接合されたリング状をなす枠部材をさらに有する請求項１ないし７のいずれかに記載のカバーガラス。
【請求項９】
請求項１ないし８のいずれかに記載のカバーガラスと、
前記カバーガラスが装着されるケースとを備えることを特徴とする時計。
【発明の詳細な説明】
【技術分野】
【０００１】
本発明は、カバーガラスおよび時計に関する。
【背景技術】
【０００２】
従来、例えば、腕時計、携帯電話、液晶表示パネル、小型ゲーム機（携帯型ゲーム機）等の機器（電子機器）では、ユーザーに対して情報（例えば、時刻、日付、ゲーム等）を表示する表示部が、カバーガラスを介して視認されるよう構成されている。腕時計には、カバーガラスが審美性を発揮する目的で、ガラス材が多面体を構成するよう加工されたものがある（例えば、特許文献１参照）。この特許文献１に記載の腕時計では、カバーガラスと同様に審美性を発揮する目的で、当該カバーガラスの周囲に、多面体のガラス部材（側方ガラス）が複数配置されている。
このように、特許文献１に記載の腕時計では、多数個のガラス材を用いる構成となっている。その結果、当該腕時計では、製造時の組み立てや研磨に手間がかかるとともに製造コストが高くなるという問題があった。
【先行技術文献】
【特許文献】
【０００３】
【特許文献１】特開２０１０−１２７７６５号公報
【発明の概要】
【発明が解決しようとする課題】
【０００４】
本発明の目的は、製造が容易なカバーガラス、および、かかるカバーガラスを備える時計を提供することにある。
【課題を解決するための手段】
【０００５】
このような目的は、下記の本発明により達成される。
本発明のカバーガラスは、時計のケースに装着して用いられるカバーガラスであって、
板状をなし、透明性を有するカバーガラス本体と、
前記カバーガラス本体の裏側の面に接合され、前記カバーガラス本体の縁部に沿ったリング状をなすスペーサーとを有し、
前記カバーガラス本体と前記スペーサーとの位置決めを行なう位置決め手段を備え、
前記位置決め手段は、前記カバーガラス本体の裏側の面および前記スペーサーの表側の面のうちの一方の面に設けられた凹部と、他方の面に設けられ、前記凹部が挿入される凸部とで構成されており、
前記カバーガラス本体に設けられた前記凹部または前記凸部は、レンズの機能を有することを特徴とする。
これにより、製造が容易なカバーガラスとなる。
また、カバーガラス本体とスペーサーとを接合する際、これらの位置関係を確実に位置決めして、その位置決め状態で接合することができる。
また、カバーガラス本体とスペーサーとの間に、例えば文字、数字、記号および図形のうちの少なくとも１つが付された装飾部を設けた場合、当該装飾部を拡大、強調することができる。
【０００６】
本発明のカバーガラスでは、前記スペーサーは、透明性を有することが好ましい。
これにより、カバーガラスには、カバーガラス本体単体の部分と、カバーガラス本体とスペーサーとが重なった部分とが生じ、後者の部分が前者の部分よりも厚さが厚く視認され、重厚感が得られる。
本発明のカバーガラスでは、前記スペーサーは、着色が施されていることが好ましい。
これにより、カバーガラスが「縁取られた」ものとなり、審美性が高まる。
【０００７】
本発明のカバーガラスでは、前記カバーガラス本体は、その表側の面の少なくとも中央部が凸状に湾曲していることが好ましい。
これにより、例えば、時計が全体として、審美性が優れたものとなり、デザイン性も高まる。
本発明のカバーガラスでは、前記カバーガラス本体は、その裏側の面が平面状をなすことが好ましい。
これにより、カバーガラス本体の裏側の面にスペーサーを接合する際、その接合作業を容易に行なうことができる。
本発明のカバーガラスでは、前記カバーガラス本体は、その裏側の面の少なくとも中央部が凹状に湾曲していることが好ましい。
これにより、カバーガラス本体が比較的薄いものとなり、よって、カバーガラスの軽量化を図ることができる。
【０００８】
本発明のカバーガラスでは、前記カバーガラス本体と前記スペーサーとが接合される接合部には、文字、数字、記号および図形のうちの少なくとも１つが付された装飾部が設けられていることが好ましい。
これにより、装飾部を例えば文字板と同様の機能を有するものとして用いることができる。
本発明のカバーガラスでは、前記カバーガラス本体の縁部側に配置され、前記スペーサーに接合されたリング状をなす枠部材をさらに有することが好ましい。
これにより、カバーガラス本体をその外周側から保護することができ、よって、カバーガラス本体が例えば衝突により欠損するのを確実に防止することができる。
【００１１】
本発明の時計は、本発明のカバーガラスと、
前記カバーガラスが装着されるケースとを備えることを特徴とする。
これにより、製造が容易なカバーガラスを備える時計を得る。
本発明によれば、製造が容易なカバーガラス、および、かかるカバーガラスを備える時計を提供することができる。
【図面の簡単な説明】
【００１２】
【図１】本発明のカバーガラスを備える本発明の時計を腕時計に適用した場合の第１実施形態を示す斜視図である。
【図２】図１中のＡ−Ａ線断面図である。
【図３】本発明のカバーガラスを備える本発明の時計を腕時計に適用した場合の第２実施形態を示す断面図である。
【図４】本発明のカバーガラスを備える本発明の時計を腕時計に適用した場合の第３実施形態を示す断面図である。
【図５】図４中の矢印Ｂ方向から見た図（平面図）である。
【図６】本発明のカバーガラスを備える本発明の時計を腕時計に適用した場合の第４実施形態を示す断面図である。
【図７】本発明のカバーガラスを備える本発明の時計を腕時計に適用した場合の第５実施形態を示す断面図である。
【発明を実施するための形態】
【００１３】
以下、本発明のカバーガラスおよび時計を添付図面に示す好適な実施形態に基づいて詳細に説明する。
＜第１実施形態＞
図１は、本発明のカバーガラスを備える本発明の時計を腕時計に適用した場合の第１実施形態を示す斜視図、図２は、図１中のＡ−Ａ線断面図である。なお、以下では、説明の都合上、図１および図２中（図３、図４、図６、図７についても同様）の上側を「上」、「上方」または「表」、下側を「下」、「下方」または「裏」と言う。
【００１４】
図１、図２に示す腕時計（以下、単に「時計」という）１は、胴（ケース）２と、裏蓋３と、カバーガラス（風防）５と、バンド２０とを備えている。また、時計１の内部空間５０（胴２と裏蓋３とカバーガラス５とで囲まれた空間）には、カバーガラス５が設けられた側から順に、文字板６と、ムーブメント９とが収納されている。また、ムーブメント９には、指針（針）１０（時針１０１、分針１０２、秒針１０３）が回転可能に支持されており、ムーブメント９とともに時計１の内部空間５０内に収納されている。以下、各部の構成について説明する。
【００１５】
図２に示すように、胴２は、円環状をなす部材で構成されている。胴２の内周部２１には、その中心側に向かった突出したリブ２２が形成されている。リブ２２は、内周部２１の周方向に沿ってリング状に形成されている。そして、このリブ２２上にカバーガラス５が気密的、液密的に装着、固定される。この固定方法としては、特に限定されず、例えば、接着（接着剤や溶媒による接着）による方法が挙げられる。
【００１６】
胴２の外周部２３には、その中心軸を介して両側に、バンド２０が連結される連結部としてのラグ２４が設けられている（図１参照）。バンド２０は、時計１を腕に装着する際に用いられるものである。
また、胴２の外周部２３の両ラグ２４同士の間の部分には、巻真パイプ１１が嵌入・固定されている。この巻真パイプ１１内には、りゅうず１２の軸部１２１が回転可能に挿入されている。さらに、りゅうず１２の軸部１２１は、シャフト１３を介して、ムーブメント９と連結されている。そして、りゅうず１２を回転操作することにより、その回転力がシャフト１３を介してムーブメント９に伝達されて、時針１０１および分針１０２の位置を調整することができる。
【００１７】
りゅうず１２の軸部１２１の途中の外周には溝１２２が形成され、この溝１２２内にはリング状のゴムパッキン（りゅうずパッキン）１６が嵌合されている。ゴムパッキン１６は、巻真パイプ１１の内周面１１１に密着し、当該内周面１１１と溝１２２の内面との間で圧縮される。この構成により、りゅうず１２と巻真パイプ１１との間が液密に封止され防水機能が得られる。なお、りゅうず１２を回転操作したとき、ゴムパッキン１６は、軸部１２１とともに回転し、巻真パイプ１１の内周面に密着しながらその周方向に摺動する。
【００１８】
胴２の裏側には、裏蓋３が例えば螺合や嵌合により装着される。裏蓋３は、円板状をなす部材で構成されている。裏蓋３の上面側の部分（縁部）には、その周方向に沿って凹部３１が形成されている。凹部３１には、弾性材料で構成されたパッキン３０が設置されている。そして、裏蓋３が胴２に装着されると、パッキン３０が圧縮され、裏蓋３と胴２との間の気密性、液密性を維持することができる。
【００１９】
また、裏蓋３には、固定部材４０を介して、ムーブメント９が固定されている。
ムーブメント９は、時針１０１、分針１０２および秒針１０３を回転支持する軸９１を有している。このムーブメント９は、ボタン電池（図示せず）から供給された電力によって、時針１０１、分針１０２および秒針１０３をそれぞれ軸９１を介して駆動する（回転させる）機構を内蔵している。この機構としては、特に限定されず、例えば、時間基準源として水晶振動子、水晶振動子の発振周波数をもとに時計を駆動する駆動パルスを発生する半導体集積回路、この駆動パルスを受けて輪列機構を１秒毎に指針を駆動するステップモーターや、ステップモーターの動きを各指針に伝達する輪列機構等を備えたものを用いることができる。
【００２０】
ムーブメント９上には、文字板６が載置されている。図２に示すように、この文字板６は、円板状をなす部材で構成され、ムーブメント９と胴２のリブ２２との間で挟持されている。これにより、文字板６が確実に固定され、時計の使用中にズレてしまうのを確実に防止される。
また、文字板６の中心部には、ムーブメント９の軸９１が挿通する挿通孔６２が形成されている。
【００２１】
ムーブメント９の表側の面には、時針１０１、分針１０２および秒針１０３が指し示して時刻を表示する表示部（時刻目盛り）６１が設けられている。時針１０１、分針１０２および秒針１０３がそれぞれ表示部６１を指す位置によって、時刻を確認することができる。表示部６１としては、特に限定されず、例えば、１〜１２の数字や、当該数字に相当する記号、図形等が挙げられる。
【００２２】
胴２、裏蓋３、文字板６、針１０の構成材料としては、特に限定されず、例えば、ステンレス鋼や、チタンまたはチタン合金等のような各種金属材料（合金を含む）、各種樹脂材料（プラスチック材料）等が挙げられる。中でも、美的外観、強度などに優れることから、通常、金属材料が好適に用いられる。胴２、裏蓋３、針１０は、互いに、同一の材料で構成されたものであってもよいし、異なる材料で構成されたものであってもよい。
【００２３】
前述したように、胴２のリブ２２には、カバーガラス５が装着されている。図２に示すように、カバーガラス５は、カバーガラス本体７と、カバーガラス本体７と別体で構成され、当該カバーガラス本体７に接合されたスペーサー８とを有している。
カバーガラス本体７は、円板状をなし、透明性を有する部材で構成されている。なお、「透明性を有する部材」とは、可視光の透過度が５０％以上程度の透明性を有するものをいう。また、「透明」には、無色透明の他、有色（着色）透明も含まれる。
【００２４】
カバーガラス本体７は、その表側の面７１の中央部から縁部にわたって、すなわち、表側の面７１のほぼ全体が、凸状に湾曲した湾曲凸面となっている。これにより、例えば、時計１が全体として、審美性が優れたものとなり、デザイン性も高まる。ここでカバーガラス本体７の「中央部」とはカバーガラス本体７の表側の面７１の中心点だけでなく、表側の面７１の中心点から所定範囲内の領域を含む。
【００２５】
カバーガラス本体７の裏側の面７２は、その全体が平面状をなしている。これにより、カバーガラス本体７の裏側の面７２にスペーサー８を接合する際、その接合作業を容易に行なうことができる。また、表側の面７１が湾曲凸面となっていることと相まって、カバーガラス本体７にレンズとしての機能を持たせることができ、よって、例えば、指針１０や文字板６の表示部６１が強調され、見易くなる。
なお、カバーガラス本体７の表側の縁部には、面取りを施した面取り部７３が形成されている。これにより、例えばカバーガラス本体７の表側の縁部に皮膚が当たっても、当該皮膚が傷を受けるのを確実に防止することができ、カバーガラス５は安全性が高いものとなる。
【００２６】
カバーガラス本体７の裏側の面７２には、スペーサー８が接合されている。このスペーサー８の裏側の面７２との接合面となる表側の面８２は、平面状をなしている。これにより、前述したように接合作業を容易に行なうとができる。なお、カバーガラス本体７とスペーサー８の接合方法としては、特に限定されず、例えば、接着（接着剤や溶媒による接着）による方法、融着（熱融着、高周波融着、超音波融着等）による方法等が挙げられる。
【００２７】
スペーサー８は、カバーガラス本体７の縁部に沿ったリング状をなす部材で構成され、その外径は、カバーガラス本体７の外径と同じである。これにより、スペーサー８をカバーガラス本体７と同心的に配置することができ、このとき平面視で、スペーサー８がカバーガラス本体７に包含される、すなわち、スペーサー８にカバーガラス本体７から突出した部分が生じてしまうのを防止することができる。よって、カバーガラス５の審美性が向上する。なお、スペーサー８の内径は、当該スペーサー８の内周部８１の指針１０との干渉が防止される程度であれば、特に限定されない。
【００２８】
スペーサー８は、カバーガラス本体７と同様に、透明性を有するのが好ましい。これにより、カバーガラス５には、カバーガラス本体７単体の部分と、カバーガラス本体７とスペーサー８とが重なった部分とが生じ、後者の部分が前者の部分よりも厚さが厚く視認され、重厚感が得られる。
また、スペーサー８は、無色透明、有色透明のいずれでもよいが、有色透明であるのが好ましい、すなわち、着色が施されているのが好ましい。これにより、カバーガラス５が「縁取られた」ものとなり、審美性が高まる。
【００２９】
以上のような構成のスペーサー８上にカバーガラス本体７が載置されており、このカバーガラス本体７は、スペーサー８の厚さ分だけ、胴２のリブ２２から突出し、その結果、時計１の厚さが比較的厚いものとなるように思える。しかしながら、時計１の使用者は、時計１の厚さを認識する場合、透明なカバーガラス５と不透明な胴２との総厚を時計１の厚さとして認識するのではなく、透明なカバーガラス５の厚さ分を無視して、透明な胴２の厚さを時計１の厚さとして認識することとなる。これにより、時計１の使用者は、比較的厚さが薄い、すなわち、軽量な時計１と感じる。
【００３０】
また、スペーサー８の厚さ分で、内部空間５０の容積をできる限り多く確保することができるため、胴２を比較的薄いものとすることができる。特に、時計１がＧＰＳ衛星からのＧＰＳ測位電波を受信するアンテナを有する電子時計の場合、アンテナを内部空間５０内に収納することとなるため、カバーガラス５の構成は好適である。
また、厚さの異なる複数のスペーサー８を用意しさえすれば、時計１内に収納される構造物の大きさに応じて、スペーサー８を適宜選択することができる。例えば、時計１が前記電子時計の場合、アンテナの大きさに応じて、厚さの異なる複数のスペーサー８の中から適当なスペーサー８を選択することができる。
【００３１】
このように時計１では、カバーガラス５は、カバーガラス本体７とスペーサー８との２部材で構成され、カバーガラス本体７とスペーサー８とは、それぞれ、簡単な形状、すなわち、カバーガラス本体７は板状という簡単な形状をなし、スペーサー８はリング状という簡単な形状をなしている。これにより、カバーガラス本体７、スペーサー８をそれぞれ成形して製造する際、その成形が容易となる。また、カバーガラス本体７、スペーサー８は、それぞれ、研磨されるものであり、その研磨作業も容易に行なうことができる。
また、カバーガラス本体７とスペーサー８とを接合して組み立てるという簡単な作業で、カバーガラス５が容易かつ確実に得られる。
【００３２】
カバーガラス本体７およびスペーサー８の構成材料としては、特に限定されず、例えば、無機ガラス等が挙げられる。この無機ガラスとしては、例えば、ソーダ石灰ガラス、ホウケイ酸ガラス、ハードレックス（強化無機ガラス）、クリアレックス（無反射処理）、スピネルガラス、サファイアガラス等が挙げられる。無機ガラスは、材料強度（強度）が高いため、例えば加圧や衝撃による変形、割れを少なくすることができ、傷が付きにくく、鏡面性も良くすることができる。これにより、カバーガラス５自体の強度を高く、視認性を良くすることができる。また、無機ガラスは、接着剤による接着を容易に行うことができ、よって、高接着強度が得られる接着剤の種類や接着方法の選択の幅が広い。
【００３３】
また、カバーガラス本体７とスペーサー８とは、同じ材料で構成されていてもよいし、異なる材料で構成されていてもよい。
同じ構成材料を用いた場合には、使用する構成材料の種類が少なくなり、よって、カバーガラス５の製造コストを抑制することができる。また、カバーガラス本体７とスペーサー８との熱膨張係数を同じとすることができる。これにより、カバーガラス５では、温度が変化したときに両部材の熱膨張係数が違うことにより生じる反り、たわみ、接着剥離等が防止される。
一方、異なる構成材料を用いた場合には、カバーガラス本体７、スペーサー８のそれぞれの成形に適した材料を用いることができる。例えば、カバーガラス本体７を比較的硬質のサファイアガラスで構成し、スペーサー８を加工性に優れた（比較的加工し易い）ソーダ石灰ガラスで構成することができる。
【００３４】
＜第２実施形態＞
図３は、本発明のカバーガラスを備える本発明の時計を腕時計に適用した場合の第２実施形態を示す断面図である。
以下、この図を参照して本発明のカバーガラスおよび時計の第２実施形態について説明するが、前述した実施形態との相違点を中心に説明し、同様の事項はその説明を省略する。
本実施形態は、カバーガラスの形状が異なること以外は前記第１実施形態と同様である。
【００３５】
図３に示す時計１のカバーガラス５Ａでは、カバーガラス本体７Ａは、その裏側の面７２のスペーサー８と接合される部分以外の部分、すなわち、カバーガラス本体７Ａの中央部が凹状に湾曲した湾曲凹面となっている。この裏側の面７２の湾曲凹面の曲率と、表側の面７１の湾曲凸面の曲率とは、同じとなっている。ここでカバーガラス本体７Ａの「中央部」とはカバーガラス本体７Ａの中心点だけでなく、中心点から所定範囲内の領域を含む。
このような構成により、カバーガラス本体７Ａは、前記第１実施形態でのカバーガラス本体７よりも薄いものとなる。これにより、時計１（カバーガラス５Ａ）の軽量化を図ることができる。
【００３６】
＜第３実施形態＞
図４は、本発明のカバーガラスを備える本発明の時計を腕時計に適用した場合の第３実施形態を示す断面図、図５は、図４中の矢印Ｂ方向から見た図（平面図）である。
以下、これらの図を参照して本発明のカバーガラスおよび時計の第３実施形態について説明するが、前述した実施形態との相違点を中心に説明し、同様の事項はその説明を省略する。
本実施形態は、カバーガラスの構成が異なること以外は前記第１実施形態と同様である。
【００３７】
図４、図５に示す時計１のカバーガラス５Ｂでは、カバーガラス本体７とスペーサー８との間、すなわち、カバーガラス本体７とスペーサー８とが接合される接合部に、装飾部４が設けられている。図５に示す構成では、装飾部４は、数字４１と図形４２、４３とが付されたものである。数字４１は、「６」、「１２」であり、それぞれ、「６時」、「１２時」に相当する位置に配置されている。図形４２は、長方形をなし、それぞれ、「１時」、「２時」、「３時」、「４時」、「５時」、「７時」、「８時」、「９時」、「１０時」、「１１時」に相当する位置に配置されている。図形４３は、線状をなし、それぞれ、「分」に相当する位置に配置されている。
【００３８】
このように本実施形態の時計１では、装飾部４を例えば文字板と同様の機能を有するものとして用いることができる。
なお、装飾部４は、例えば、印刷を施してなるもの、シート材を貼付してなるもの等で構成することができる。
なお、装飾部４は、図示の構成では数字と図形とが付されたものであるが、これに限定されず、文字、数字、記号および図形のうちの少なくとも１つが付されたものとすることができる。
【００３９】
＜第４実施形態＞
図６は、本発明のカバーガラスを備える本発明の時計を腕時計に適用した場合の第４実施形態を示す断面図である。
以下、この図を参照して本発明のカバーガラスおよび時計の第４実施形態について説明するが、前述した実施形態との相違点を中心に説明し、同様の事項はその説明を省略する。
本実施形態は、カバーガラスの構成が異なること以外は前記第１実施形態と同様である。
【００４０】
図６に示す時計１のカバーガラス５Ｃは、リング状をなす枠部材１４をさらに有するものとなっている。この枠部材１４の内径は、カバーガラス本体７の外径よりも若干大きい。また、枠部材１４の構成材料としては、特に限定されず、例えば、胴２と同様の材料を用いることができる。
カバーガラス５Ｃでは、スペーサー８は、その外径がカバーガラス本体７の外径よりも大きくなっており、その大きくなった分、カバーガラス本体７よりも外側に突出した突出部８３が形成されている。そして、カバーガラス本体７の縁部側であって、突出部８３上に、枠部材１４が配置されている。また、枠部材１４は、突出部８３に接合されている。
【００４１】
このような枠部材１４により、カバーガラス本体７をその外周側から保護することができる。これにより、カバーガラス本体７が例えば衝突により欠損するのを確実に防止することができる。
なお、枠部材１４の表側の縁部には、面取りを施した面取り部１４１が形成されている。これにより、例えば枠部材１４の表側の縁部に皮膚が当たっても、当該皮膚が傷を受けるのを確実に防止することができ、カバーガラス５Ｃは安全性が高いものとなる。
【００４２】
＜第５実施形態＞
図７は、本発明のカバーガラスを備える本発明の時計を腕時計に適用した場合の第５実施形態を示す断面図である。
以下、この図を参照して本発明のカバーガラスおよび時計の第５実施形態について説明するが、前述した実施形態との相違点を中心に説明し、同様の事項はその説明を省略する。
本実施形態は、カバーガラスの形状が異なること以外は前記第３実施形態と同様である。
【００４３】
図７に示す時計１のカバーガラス５Ｄでは、カバーガラス本体７とスペーサー８との位置決めを行なう位置決め手段１５が設けられている。この位置決め手段１５は、スペーサー８の表側の面８２に設けられた凹部８４と、カバーガラス本体７の裏側の面７２に設けられた凸部７４とで構成されている。凹部８４および凸部７４は、それぞれ、同じ曲率の湾曲面を構成し、凹部８４に凸部７４が挿入される。この挿入により、カバーガラス本体７とスペーサー８との位置決めされる。そして、この位置決め状態で、カバーガラス本体７とスペーサー８とが互いに接合される。
【００４４】
また、カバーガラス本体７に設けられた凸部７４は、レンズの機能を有する部分となる。これにより、装飾部４を拡大、強調することができる。
位置決め手段１５は、本実施形態ではスペーサー８に凹部８４を設け、カバーガラス本体７に凸部７４を設けた構成となっているが、これに限定されず、スペーサー８に凸部を設け、カバーガラス本体７に凹部を設けた構成であってもよい。
【００４５】
以上、本発明のカバーガラスおよび時計を図示の実施形態について説明したが、本発明は、これに限定されるものではなく、カバーガラスおよび時計を構成する各部は、同様の機能を発揮し得る任意の構成のものと置換することができる。また、任意の構成物が付加されていてもよい。
また、本発明のカバーガラスおよび時計は、前記各実施形態のうちの、任意の２以上の構成（特徴）を組み合わせたものであってもよい。
また、カバーガラス本体は、その表側の面のほぼ全体が湾曲凸面となっているのに限定されず、例えば、表側の面の中央部付近のみが湾曲凸面となっていてもよい。
また、スペーサーは、前記各実施形態ではガラスで構成されているが、これに限定されず、例えば、ステンレス鋼等のような金属材料で構成されていてもよい。
【符号の説明】
【００４６】
１……腕時計（時計）  ２……胴（ケース）  ２１……内周部  ２２……リブ  ２３……外周部  ２４……ラグ  ３……裏蓋  ３１……凹部  ４……装飾部  ４１……数字  ４２、４３……図形  ５、５Ａ、５Ｂ、５Ｃ、５Ｄ……カバーガラス（風防）  ６……文字板  ６１……表示部（時刻目盛り）  ６２……挿通孔  ７、７Ａ……カバーガラス本体  ７１……表側の面  ７２……裏側の面  ７３……面取り部  ７４……凸部  ８……スペーサー  ８１……内周部  ８２……表側の面  ８３……突出部  ８４……凹部  ９……ムーブメント  ９１……軸  １０……指針（針）  １０１……時針  １０２……分針  １０３……秒針  １１……巻真パイプ  １１１……内周面  １２……りゅうず  １２１……軸部  １２２……溝  １３……シャフト  １４……枠部材  １４１……面取り部  １５……位置決め手段  １６……ゴムパッキン（りゅうずパッキン）  ２０……バンド  ３０……パッキン  ４０……固定部材  ５０……内部空間
【図１】
0005824969.tif 000002
【図２】
0005824969.tif 000003
【図３】
0005824969.tif 000004
【図４】
0005824969.tif 000005
【図５】
0005824969.tif 000006
【図６】
0005824969.tif 000007
【図７】
0005824969.tif 000008